(57)【要約】      （修正有）【課題】空芯コイルにおいて、引出部のスペースを削減して小型化を図るとともに、磁性体形成時の引出位置の安定性の向上を図る。【解決手段】コイル部品１０は、導線を周回させた周回部と、その両端から引き出される一対の引出部２６Ａ，２６Ｂを有する空芯コイル２０が金属粒子と樹脂からなる磁性体１２中に埋め込まれ、一対の引出部２６Ａ，２６Ｂに一対の端子電極１４，１６が接続する。磁性体１２は直方体であり、長辺及び短辺を有し、基板に実装される側の磁性体１２の面を２本の対角線ＤＡ，ＤＢで４つのエリアに区切ったときに、引出部２６Ａ，２６Ｂが短辺側の２つのエリアＥＳ１，ＥＳ２にそれぞれ含まれる。すなわち、引出部２６Ａ，２６Ｂが磁性体１２の短辺寄りに配置されるため、引出部２６Ａ，２６Ｂの省スペース化が可能となる。また、引出位置の安定性が高くなる。【選択図】図１
2019080073.tif 000002
【特許請求の範囲】
【請求項１】
金属磁性粒子と樹脂から形成され、基板に実装される側において長辺と短辺を有する直方体の磁性体と、
平角線の断面の一方の長辺側の面が接するように巻回され、巻回した平角線の上に重ねるように繰り返し平角線を巻回し形成され、前記磁性体に埋め込まれる周回部と、前記磁性体の一方の長辺側における前記周回部の外周面から引き出される引出線と、前記引出線の端部から形成され、前記基板に実装される側の磁性体の面を２本の対角線で４つのエリアに区切ったときに、前記４つのエリアのうちの短辺側の２つのエリアにそれぞれ含まれ、さらに前記２つのエリア内において前記磁性体の一方の長辺側に寄った位置より前記磁性体の外側に引出される一対の引出部を持つ空芯コイルと、
前記引出部と電気的に接続される一対の端子電極と、
を有しており、
前記基板に実装される側の磁性体の面を透過して見て、前記一対の引出部は、前記周回部の外周面と接する位置にあり、
前記基板に実装される側の磁性体の面を透過して見て、前記周回部の外側の磁性体の面積Ｓ１に対する前記周回部の内側の磁性体の面積Ｓ３の比Ｓ３／Ｓ１を、０．３８以上としたことを特徴とするコイル部品。
【請求項２】
前記一対の引出部と前記一対の端子電極との電気的な接続部を、前記基板に実装される側の面に形成したことを特徴とする請求項１記載のコイル部品。
【請求項３】
前記基板に実装される側の磁性体の面を透過して見て、前記周回部の内周形状が、長円形又は角丸長方形であることを特徴とする請求項１又は２記載のコイル部品。
【請求項４】
前記一対の端子電極が、前記基板に実装される側の磁性体の面に形成されていることを特徴とする請求項１〜３のいずれか一項に記載のコイル部品。
【請求項５】
請求項１〜４のいずれか一項に記載のコイル部品を備えたことを特徴とする電子機器。
【請求項６】
金属磁性粒子と樹脂から形成され、基板に実装される側において長辺と短辺を有する直方体の磁性体と、
平角線の断面の一方の長辺側の面が接するように巻回され、巻回した平角線の上に重ねるように繰り返し平角線を巻回し形成され、前記磁性体に埋め込まれる周回部と、前記磁性体の一方の長辺側における前記周回部の外周面から引き出される引出線と、前記引出線の端部から形成され、前記基板に実装される側の磁性体の面を２本の対角線で４つのエリアに区切ったときに、前記４つのエリアのうちの短辺側の２つのエリアにそれぞれ含まれ、さらに前記２つのエリア内において前記磁性体の一方の長辺側に寄った位置より前記磁性体の外側に引出される一対の引出部を持つ空芯コイルと、
前記引出部と電気的に接続される一対の端子電極と、を有しており、
前記基板に実装される側の磁性体の面を透過して見て、前記一対の引出部は、前記周回部の外周面と接する位置にあることを特徴とするコイル部品の製法方法であって、
前記周回部により形成されるコイル軸方向から見て、前記周回部の両端から引出されるそれぞれの導線が交差部分を持ちながら該周回部の外周面から遠ざかる方向に引出され、更に導線の端部に向って、前記周回部の外周面との間にそれぞれ所定の隙間を形成し、互いに反対方向に向かい、かつ平行となるように曲げ加工され一対の引出線を形成する第１工程と、
前記一対の引出線の端部側を曲げ加工し、前記コイル軸と平行で同一方向に向う一対の引出部を形成する第２工程と、
前記一対の引出線の交差部分を曲げ加工して、前記周回部の外周面に沿わせる第３工程と、
前記一対の引出部を、前記コイル軸と平行に維持しながら、前記周回部の外周面と接するように曲げ加工する第４工程と、
前記周回部と一対の引出部の位置をモニタリングしながら、金型に前記第１〜第４工程で形成した空芯コイルをセットし、金属粒子と樹脂からなる磁性体材料を埋め込む際に、前記基板に実装される側の磁性体の面を透過して見て、前記周回部の外側の磁性体の面積Ｓ１に対する前記周回部の内側の磁性体の面積Ｓ３の比Ｓ３／Ｓ１が０．３８以上となるように、磁性体を成形する第５工程と、
を含むことを特徴とするコイル部品の製造方法。
【請求項７】
金属磁性粒子と樹脂から形成され、基板に実装される側において長辺と短辺を有する直方体の磁性体と、
平角線の断面の一方の長辺側の面が接するように巻回され、巻回した平角線の上に重ねるように繰り返し平角線を巻回し形成され、前記磁性体に埋め込まれる周回部と、前記磁性体の一方の長辺側における前記周回部の外周面から引き出される引出線と、前記引出線の端部から形成され、前記基板に実装される側の磁性体の面を２本の対角線で４つのエリアに区切ったときに、前記４つのエリアのうちの短辺側の２つのエリアにそれぞれ含まれ、さらに前記２つのエリア内において前記磁性体の一方の長辺側に寄った位置より前記磁性体の外側に引出される一対の引出部を持つ空芯コイルと、
前記引出部と電気的に接続される一対の端子電極と、を有しており、
前記基板に実装される側の磁性体の面を透過して見て、前記一対の引出部は、前記周回部の外周面と接する位置にあることを特徴とするコイル部品の製法方法であって、
導線を巻回させて前記周回部を形成し、該周回部により形成されるコイル軸方向から見て、該周回部の両端から引出されるそれぞれの導線が交差部分を持ちながら該周回部の外周面から遠ざかる方向に引出され、更に導線の端部に向って、前記周回部の外周面との間にそれぞれ所定の隙間を形成し、互いに反対方向に向かい、かつ平行となるように曲げ加工され一対の引出線を形成する第１工程と、
前記一対の引出線の端部側を曲げ加工し、前記コイル軸と平行で同一方向に向う一対の引出部を形成する第２工程と、
前記一対の引出部を、前記コイル軸と平行に維持しながら、前記周回部の外周面と接するように曲げ加工する第３工程と、
前記一対の引出線の交差部分を曲げ加工して、前記周回部の外周面に沿わせる第４工程と、
前記周回部と一対の引出部の位置をモニタリングしながら、金型に前記第１〜第４工程で形成した空芯コイルをセットし、金属粒子と樹脂からなる磁性体材料を埋め込む際に、前記基板に実装される側の磁性体の面を透過して見て、前記周回部の外側の磁性体の面積Ｓ１に対する前記周回部の内側の磁性体の面積Ｓ３の比Ｓ３／Ｓ１が０．３８以上となるように、磁性体を成形する第５工程と、
を含むことを特徴とするコイル部品の製造方法。
【発明の詳細な説明】
【技術分野】
【０００１】
本発明は、コイル部品及びその製造方法，電子機器に関し、更に具体的には、空芯コイルの引出構造に関するものである。
【背景技術】
【０００２】
携帯機器をはじめとする電子機器の高性能化に伴い、電子機器に使用される部品も高い性能が要求されている。しかしながら、電子機器の高性能化に伴い、部品点数も増加することから、部品自体の小型化の動きが高まっている。これは、巻線を用いた高い電流特性のコイル部品でも同様であり、これまで以上に小型化する対策が検討されている。
【０００３】
高い電流特性を得るために、これまでも平角線と呼ばれる角型の導線を用いたコイル部品は多くあった。しかし、空芯コイルの周回部の形成は比較的容易であるが、引出部から端子電極への接続を安定して行うことは容易ではなく、導線の引き回ししやすい方向に引出部を形成する方法がとられてきた。例えば、下記特許文献１には、同文献の第８図及び第９図に示すように、平板形状の周縁部に柱状凸部を有する形状に形成されたタブレットに、断面が平角形状の導線を巻回したコイルを載置し、該コイルの両端部を前記タブレットの柱状凸部の外側側面に沿わせ、その一部を封止材から露出させて外部電極と接続する構造が示されている。
【先行技術文献】
【特許文献】
【０００４】
【特許文献１】特開２０１０−２４５４７３号公報(第８図，第９図)
【発明の概要】
【発明が解決しようとする課題】
【０００５】
上述した特許文献１に記載の技術では、引出部を安定させるために、同文献第８図に示すようにタブレットを用い、この表面を使って引出部を位置決めする方法により成形が行われており、引出位置を安定させることはできる。しかしながら、同文献第９図に示すように、空芯コイルの外側に大きなスペース（同第９図の「１２ａ」参照）を要するようになってしまい、磁性体中に埋め込むタイプのコイル部品において、小型化を進める上での制約となっていた。このため、引出部を省スペース化しつつ、磁性体形成時の引出位置の安定性の確保が課題となっていた。
【０００６】
本発明は、以上のような点に着目したもので、空芯コイルにおいて、引出部のスペースを削減して小型化を図るとともに、磁性体形成時の引出位置の安定性が高いコイル部品を及びその製造方法を提供することを、その目的とする。他の目的は、前記コイル部品を用いた電子機器を提供することである。
【課題を解決するための手段】
【０００７】
本発明のコイル部品は、金属磁性粒子と樹脂から形成され、基板に実装される側において長辺と短辺を有する直方体の磁性体と、平角線の断面の一方の長辺側の面が接するように巻回され、巻回した平角線の上に重ねるように繰り返し平角線を巻回し形成され、前記磁性体に埋め込まれる周回部と、前記磁性体の一方の長辺側における前記周回部の外周面から引き出される引出線と、前記引出線の端部から形成され、前記基板に実装される側の磁性体の面を２本の対角線で４つのエリアに区切ったときに、前記４つのエリアのうちの短辺側の２つのエリアにそれぞれ含まれ、さらに前記２つのエリア内において前記磁性体の一方の長辺側に寄った位置より前記磁性体の外側に引出される一対の引出部を持つ空芯コイルと、前記引出部と電気的に接続される一対の端子電極と、を有しており、前記基板に実装される側の磁性体の面から見て、別言すれば、磁性体の面を透過して見て、前記一対の引出部は、前記周回部の外周面と接する位置にあり、前記基板に実装される側の磁性体の面を透過して見て、前記周回部の外側の磁性体の面積Ｓ１に対する前記周回部の内側の磁性体の面積Ｓ３の比Ｓ３／Ｓ１を、０．３８以上としたことを特徴とする。
【０００８】
主要な形態の一つは、前記一対の引出部と前記一対の端子電極との電気的な接続部を、前記基板に実装される側の面にのみ形成したことを特徴とする。更に他の形態としては、前記基板に実装される側の磁性体の面を透過して見た前記周回部の内周形状が、長円形又は角丸長方形であることを特徴とする。あるいは、前記一対の端子電極が、前記基板に実装される側の磁性体の面に形成されていることを特徴とする。
【０００９】
本発明の電子機器は、前記いずれかのコイル部品を備えたことを特徴とする。本発明のコイル部品の製造方法は、金属磁性粒子と樹脂から形成され、基板に実装される側において長辺と短辺を有する直方体の磁性体と、平角線の断面の一方の長辺側の面が接するように巻回され、巻回した平角線の上に重ねるように繰り返し平角線を巻回し形成され、前記磁性体に埋め込まれる周回部と、前記磁性体の一方の長辺側における前記周回部の外周面から引き出される引出線と、前記引出線の端部から形成され、前記基板に実装される側の磁性体の面を２本の対角線で４つのエリアに区切ったときに、前記４つのエリアのうちの短辺側の２つのエリアにそれぞれ含まれ、さらに前記２つのエリア内において前記磁性体の一方の長辺側に寄った位置より前記磁性体の外側に引出される一対の引出部を持つ空芯コイルと、前記引出部と電気的に接続される一対の端子電極とを有しており、前記基板に実装される側の磁性体の面を透過して見て、前記一対の引出部は、前記周回部の外周面と接する位置にあることを特徴とするコイル部品の製法方法であって、前記周回部により形成されるコイル軸方向から見て、前記周回部の両端から引出されるそれぞれの導線が交差部分を持ちながら該周回部の外周面から遠ざかる方向に引出され、更に導線の端部に向って、前記周回部の外周面との間にそれぞれ所定の隙間を形成し、互いに反対方向に向かい、かつ平行となるように曲げ加工され一対の引出線を形成する第１工程と、前記一対の引出線の端部側を曲げ加工し、前記コイル軸と平行で同一方向に向う一対の引出部を形成する第２工程と、前記一対の引出線の交差部分を曲げ加工して、前記周回部の外周面に沿わせる第３工程と、前記一対の引出部を、前記コイル軸と平行に維持しながら、前記周回部の外周面と接するように曲げ加工する第４工程と、前記周回部と一対の引出部の位置をモニタリングしながら、金型に前記第１〜第４工程で形成した空芯コイルをセットし、金属粒子と樹脂からなる磁性体材料を埋め込む際に、前記基板に実装される側の磁性体の面を透過して見て、前記周回部の外側の磁性体の面積Ｓ１に対する前記周回部の内側の磁性体の面積Ｓ３の比Ｓ３／Ｓ１が０．３８以上となるように、磁性体を成形する第５工程と、を含むことを特徴とする。
【００１０】
本発明の他のコイル部品の製造方法は、金属磁性粒子と樹脂から形成され、基板に実装される側において長辺と短辺を有する直方体の磁性体と、平角線の断面の一方の長辺側の面が接するように巻回され、巻回した平角線の上に重ねるように繰り返し平角線を巻回し形成され、前記磁性体に埋め込まれる周回部と、前記磁性体の一方の長辺側における前記周回部の外周面から引き出される引出線と、前記引出線の端部から形成され、前記基板に実装される側の磁性体の面を２本の対角線で４つのエリアに区切ったときに、前記４つのエリアのうちの短辺側の２つのエリアにそれぞれ含まれ、さらに前記２つのエリア内において前記磁性体の一方の長辺側に寄った位置より前記磁性体の外側に引出される一対の引出部を持つ空芯コイルと、前記引出部と電気的に接続される一対の端子電極と、を有しており、前記基板に実装される側の磁性体の面を透過して見て、前記一対の引出部は、前記周回部の外周面と接する位置にあることを特徴とするコイル部品の製法方法であって、導線を巻回させて前記周回部を形成し、該周回部により形成されるコイル軸方向から見て、該周回部の両端から引出されるそれぞれの導線が交差部分を持ちながら該周回部の外周面から遠ざかる方向に引出され、更に導線の端部に向って、前記周回部の外周面との間にそれぞれ所定の隙間を形成し、互いに反対方向に向かい、かつ平行となるように曲げ加工され一対の引出線を形成する第１工程と、前記一対の引出線の端部側を曲げ加工し、前記コイル軸と平行で同一方向に向う一対の引出部を形成する第２工程と、前記一対の引出部を、前記コイル軸と平行に維持しながら、前記周回部の外周面と接するように曲げ加工する第３工程と、前記一対の引出線の交差部分を曲げ加工して、前記周回部の外周面に沿わせる第４工程と、前記周回部と一対の引出部の位置をモニタリングしながら、金型に前記第１〜第４工程で形成した空芯コイルをセットし、金属粒子と樹脂からなる磁性体材料を埋め込む際に、前記基板に実装される側の磁性体の面を透過して見て、前記周回部の外側の磁性体の面積Ｓ１に対する前記周回部の内側の磁性体の面積Ｓ３の比Ｓ３／Ｓ１が０．３８以上となるように、磁性体を成形する第５工程と、を含むことを特徴とする。本発明の前記及び他の目的，特徴，利点は、以下の詳細な説明及び添付図面から明瞭になろう。
【発明の効果】
【００１１】
本発明によれば、金属磁性粒子と樹脂から形成され、基板に実装される側において長辺と短辺を有する直方体の磁性体と、平角線の断面の一方の長辺側の面が接するように巻回され、巻回した平角線の上に重ねるように繰り返し平角線を巻回し形成され、前記磁性体に埋め込まれる周回部と、前記磁性体の一方の長辺側における前記周回部の外周面から引き出される引出線と、前記引出線の端部から形成され、前記基板に実装される側の磁性体の面を２本の対角線で４つのエリアに区切ったときに、前記４つのエリアのうちの短辺側の２つのエリアにそれぞれ含まれ、さらに前記２つのエリア内において前記磁性体の一方の長辺側に寄った位置より前記磁性体の外側に引出される一対の引出部を持つ空芯コイルと、前記引出部と電気的に接続される一対の端子電極と、を有しており、前記基板に実装される側の磁性体の面を透過して見て、前記一対の引出部は、前記周回部の外周面と接する位置にある。このため、一対の引出部が磁性体の短辺寄りに配置され、引出部の省スペース化が可能となる。これにより、空芯コイルの外側の磁性体の占める割合を小さくでき、無駄な磁性体を少なくできる。この結果、電流特性を高くすることができる。加えて、周回部の外側の面積Ｓ１に対する周回部の内側の面積Ｓ３の比Ｓ３／Ｓ１を、０．３８以上とすることで、周回部外側の面積Ｓ１を従来の１．３〜１．８倍とすることができるようになり、磁路断面積を大きく取ることでインダクタンスを取りやすくなる。また、引出部の研磨加工が容易であり、引出位置の安定性を高くできる。また、引出部の位置が安定することで、端子電極との接続安定性も得られる。
【図面の簡単な説明】
【００１２】
【図１】本発明の実施例１のコイル部品を示す図であり、(A)は平面図，(B)は前記(A)を矢印Ｆ１方向から見た側面図，(C)はコイルを形成する平角線の断面形状を示す図である。
【図２】本発明の空芯コイルの周回部の製造手順を示す図である。
【図３】本発明の空芯コイルの引出部の製造手順を示す図である。
【図４】本発明の空芯コイルの具体例を示す図であり、(A)及び(B)は実施例１の製造方法により製造した空芯コイルの平面形状を示す図，(C)〜(E)は実施例２の製造方法により製造した空芯コイルの平面形状を示す図である。
【図５】本発明の具体例を示す平面図である。
【図６】本発明の具体例と比較例の寸法の違いによる周回部内側と周回部外側の磁性体の面積比を示す表である。
【発明を実施するための形態】
【００１３】
以下、本発明を実施するための最良の形態を、実施例に基づいて詳細に説明する。
【実施例１】
【００１４】
最初に、図１を参照しながら、本発明のコイル部品の基本構造を説明する。図１は、実施例１のコイル部品を示す図であり、(A)は平面図，(B)は前記(A)を矢印Ｆ１方向から見た側面図，(C)は空芯コイルを形成する平角線の断面形状を示す図である。図１(A)に示すように、本実施例のコイル部品１０は、チップタイプと呼ばれ、長辺と短辺を有する直方体状の磁性体１２中に、空芯コイル２０が埋め込まれた構成となっている。具体的には、長辺が２．０ｍｍ以下のような小型のコイル部品である。前記磁性体１２は、樹脂と金属粒子により形成されている。前記磁性体１２は、図示しない基板に実装される側の面（図１(A)に示す面）の両側に、端子電極１４，１６を有しており、前記空芯コイル２０の両端の引出部２６Ａ，２６Ｂが、前記端子電極１４，１６に接続されている。
【００１５】
本発明では、前記磁性体１２は、直方体状であり、長辺１２Ａ，１２Ｂと短辺１２Ｃ，１２Ｄを有しており、前記基板に実装される側の面を２本の対角線ＤＡ，ＤＢで４つのエリアに区切ることができる。すなわち、長辺１２Ａ，１２Ｂ側のエリアＥＬ１，ＥＬ２と、短辺側１２Ｃ，１２Ｄ側のエリアＥＳ１，ＥＳ２に区切られる。そして、前記一対の引出部２６Ａ，２６Ｂは、前記短辺側１２Ｃ，１２Ｄ側のエリアＥＳ１，ＥＳ２に含まれる。なお、ここで「含まれる」とは、引出部２６Ａ，２６Ｂが対角線ＤＡ，ＤＢに掛かっており一部が前記エリアＥＳ１，ＥＳ２に入っている場合と、前記エリアＥＳ１，ＥＳ２に完全に収まっている場合の双方が含まれる。完全に収まっている例については、後述の具体例で説明する。
【００１６】
次に、本実施例１のコイル部品の製造方法を、図２及び図３を参照して説明する。図２は、空芯コイルの周回手順を示す図，図３は、空芯コイルの引出部の形成手順を示す図である。なお、図３(C-2)〜(E-2)については、実施例２で説明する。本実施例では、前記空芯コイル２０の巻線用の導線として、図１(C)に示すように、平角線と呼ばれる導線の断面が長辺３０Ｃ，３０Ｄと、短辺３０Ａ，３０Ｂを有する四角形で、導線の表面に絶縁のための被膜付きのものを用いた。前記空芯コイル２０は、平角線３０を重ねて巻線される周回部２２と、該周回部２２と前記端子電極１４，１６をつなぐ引出部２６Ａ，２６Ｂにより形成されている。前記周回部２２の形成は、α巻といわれる方法で行った。
【００１７】
具体的には、空芯コイル２０を作るために、図２(A)に示すように、長円形（オーバル型）と呼ばれる鉄芯４０を用意し、この鉄芯４０の周囲に、前記平角線３０の断面の一方の長辺側の面が接するように巻回し、更に巻回した平角線３０の上に重ねるように繰り返し平角線３０を巻回させる。すなわち、前記平角線３０が内側から外側に向かって重なり周回部２２を形成している。このとき、平角線３０としては、周回部２２と引出部２６Ａ，２６Ｂを形成するために必要な長さのものを用い、平角線３０の両端からそれぞれの引出部２６Ａ，２６Ｂを形成するのに必要な長さを引いた部分の中間点となる部分を、図２(A)に示すように鉄芯４０に当て、それぞれの平角線３０の両端を鉄芯４０の周りを逆向きの方向に動かすことで巻回される。
【００１８】
巻回の方向は、前記鉄芯４０を中心に、それぞれ逆方向に巻回させることで、周回方向が逆の周回部２２Ａ，２２Ｂが連続した周回部２２が形成される（図２(B)及び(C)）。以上のようにして得られる周回部２２の内周形状は、平角線３０の巻軸として、断面長円形（オーバル型）の鉄芯４０を用い、空芯コイル２０の周回部２２により形成されるコイル軸２９(図１(A)参照)は、該コイル軸２９の軸方向の内周形状が、２つの半円状の円弧が２つの直線長軸ＬＡの端部にあり、更に短軸ＬＢを有するオーバル形状となっている。
【００１９】
次に、周回部２２の両端側に引出部２６Ａ，２６Ｂを形成する。まず、前記周回部２２の両端を、前記コイル軸２９の軸方向から見て交差するように引き出す。すなわち、前記引出線２４Ａ，２４Ｂの端部２８Ａ，２８Ｂが、前記短軸ＬＢ側から見てコイル軸２９から遠ざかるように引き出す。そして、図３(A)に示すように、一対の引出線２４Ａ，２４Ｂの端部２８Ａ，２８Ｂ側が、前記周回部２２の外周面と導線１本分以上離れ（間隔ｄ）、かつ、互いに平行となるように前記引出線２４Ａ，２４Ｂの曲げ加工を行う（第１フォーミング）。具体的には、図３(A)に示すように、引出線２４Ａ，２４Ｂの交差部分２３Ａ，２３Ｂと、引出部２６Ａ，２６Ｂの根元となる位置ＰＡ，ＰＢで曲げ加工を行う。
【００２０】
次に、図３(B)に示すように、前記一対の引出線２４Ａ，２４Ｂを、引出部２６Ａ，２６Ｂの根元となる位置ＰＡ，ＰＢで同一方向に曲げ加工し、前記コイル軸２９と平行な一対の引出部２６Ａ，２６Ｂを形成する（第２フォーミング）。そして、図３(C-1)に示すように、前記一対の引出線２４Ａ，２４Ｂの交差部分２３Ａ，２３Ｂを曲げ加工して、前記周回部２２の外周面に沿うように平面状に加工する（第３フォーミング）。
【００２１】
そして、図３(D-1)に示すように、前記一対の引出部２６Ａ，２６Ｂを、前記コイル軸２９と平行に保ちながら、前記周回部２２に近付くように、前記一対の引出線２４Ａ，２４Ｂを曲げ加工する（第４フォーミング）。以上のようにして引出部２６Ａ，２６Ｂを形成した空芯コイル２０を、前記周回部２２と一対の引出部２６Ａ，２６Ｂの位置をモニタリングしながら、金型にセットし（図３(E-1)）、金属粒子と樹脂とを混練した磁性材料を用いて成形する（成形工程）。
【００２２】
このように、実施例１によれば、導線を周回させた周回部２２と、該周回部２２の両端から引き出される一対の引出部２６Ａ，２６Ｂを有する空芯コイル２０が、金属粒子と樹脂からなる磁性体１２中に埋め込まれ、前記一対の引出部２６Ａ，２６Ｂのそれぞれに接続する一対の端子電極１４，１６を有するコイル部品１０において、前記磁性体１２が長辺及び短辺を有する直方体であり、基板に実装される側の前記磁性体１２の面を、２本の対角線ＤＡ，ＤＢで４つのエリアに区切ったときに、前記一対の引出部２６Ａ，２６Ｂが、前記４つのエリアのうちの短辺側の２つのエリアＥＳ１，ＥＳ２にそれぞれ含まれることとしたので、次のような効果がある。
【００２３】
(1)一対の引出部２６Ａ，２６Ｂが、磁性体１２の短辺寄りに配置され、引出部２６Ａ，２６Ｂの省スペース化が可能となる。これにより、空芯コイル２０の外側の磁性体の占める割合を小さくして無駄な磁性体を少なくできる。これは、製品サイズ内において空芯コイル２０を大きくすることにつながり、空芯コイル２０の外側の磁性体の割合と空芯コイル２０の内側の磁性体の割合の差を小さくでき、結果として電流特性を高くすることができる。具体的には、周回部の外側の面積Ｓ１に対する周回部の内周のＳ３の割合「Ｓ３／Ｓ１」を０．３８以上にすることができる。これまで以上に周回部の内側のＳ３の割合を高くできる。
(2)上述した手順で引出部２６Ａ，２６Ｂの形成を行うことにより、引出部２６Ａ，２６Ｂの研磨加工を容易に行えるようになり、比較的簡単な方法で精度良く、しかも確実に引出部２６Ａ，２６Ｂを磁性体表面に露出させることができる。また、引出部２６Ａ，２６Ｂの位置精度が得られやすいため、磁性体に埋め込み段階での位置決めを引出部２６Ａ，２６Ｂをモニタリングしながらできるため、組立て精度が良く、安定的に、確実に端子電極１４，１６と接続することができる。これは、上述した先行文献の引出部では研磨量が足りなければ引出部の露出が不十分となり、逆に削りすぎでは引出位置が変化してしまうことがあるのに対し、本実施例ではこのような不都合が生じないためである。
(3)周回部２２の内周形状を長円形（オーバル型）としたので、更に内周面積の割合を大きくして、電流特性の向上に寄与することができる。
【実施例２】
【００２４】
次に、本発明の実施例２を説明する。なお、上述した実施例１と同一ないし対応する構成要素には同一の符号を用いることとする（以下の具体例についても同様）。上述した実施例１では、一対の引出部２６Ａ，２６Ｂを形成するにあたり、前記交差部２３Ａ，２３Ｂを周回部２２の外周面に沿う平面状となるように曲げ加工を行ったのち（実施例１の第３フォーミング）、引出部２６Ａ，２６Ｂが周回部２２に近付くように引出線２４Ａ，２４Ｂを曲げ加工することとした（実施例１の第４フォーミング）。本実施例は、前記第３フォーミングと第４フォーミングの手順を逆にすることにより、曲げ精度をよくし、周回部２２の外周面と引出部２６Ａ，２６Ｂの間に隙間を生じにくくした例である。
【００２５】
図３(C-2)〜(E-2)には、本実施例のコイル部品の製造手順の一例が示されている。なお、空芯コイル２０の周回部２２の形成手順は上述した実施例１と同様であり、図３(A)及び(B)の工程も実施例１と同様のため説明は省略する。図３(B)までの工程において、周回部２２から引き出した引出線２４Ａ，２４Ｂを曲げ加工して引出部２６Ａ，２６Ｂを形成したら、本実施例では、図３(C-2)に示すように、前記一対の引出部２６Ａ，２６Ｂを、前記コイル軸２９と平行に保ちながら、前記周回部２２に近付くように、前記一対の引出線２４Ａ，２４Ｂを曲げ加工する。この時の曲げ角度αは、例えば２０°〜８０°とする。そして、その後に、図３(D-2)に示すように、前記一対の引出線２４Ａ，２４Ｂの交差部分２３Ａ，２３Ｂを曲げ加工して、前記周回部２２の外周面に沿うように平面状に加工する。以上のようにして引出部２６Ａ，２６Ｂを形成した空芯コイル２０を、前記周回部２２と一対の引出部２６Ａ，２６Ｂの位置をモニタリングしながら、金型にセットし（図３(E-2)）、金属粒子と樹脂とを混練した磁性材料を用いて成形する（成形工程）。
【００２６】
本実施例では、上述した実施例１よりも、周回部２２の外周面と引出部２６Ａ，２６Ｂの間の隙間を更に小さくできるため、引出部２６Ａ，２６Ｂの安定性をより高くすることができる。例えば、融着層を有する導線を用いて引出線２４Ａ，２４Ｂと周回部２２の外周面を固定させれば、より引出部２６Ａ，２６Ｂの位置の安定性を高めることができる。これにより、更に、周回部２２の外側の磁性体１２の面積を小さくできるとともに、細い導線を用いることができる。例えば、磁性体１２の長さ（Ｌ）×幅（Ｗ）が２．０×１．６（ｍｍ）サイズのような寸法比の場合（図４(C)の例参照）、引出部２６Ａ，２６Ｂは、対角線ＤＡ，ＤＢに掛かる位置となり、Ｌ×Ｗ＝２．０×１．２サイズのような場合（図４(D)参照）、引出部２６Ａ，２６Ｂは、対角線ＤＡ，ＤＢより短辺側のエリアＥＳ１，ＥＳ２に収まるようになる。
【００２７】
これにより、引出部２６Ａ，２６Ｂの位置を最も磁性体側面より遠ざける（図４(C)の間隔ＩＢ参照）ことができ、磁性体１２の厚みを確保する上で、好ましい位置になる。そして、引出部２６Ａ，２６Ｂの周辺をきっかけにクラック等が生じないようにすることで、磁性体の厚みを薄くできる。このようなＬ×Ｗの寸法比による引出部２６Ａ，２６Ｂの位置については、前記実施例１にも同様に当てはまる。また、本実施例では、上述した実施例１よりも、更に周回部２２の内周側の面積を増やすことができるという利点がある。その他の基本的な効果は、上述した実施例１と同様である。
【００２８】
＜具体例＞・・・次に、本発明の具体例と比較例を用い、前記コイル軸２９が、長軸ＬＡと短軸ＬＢを有する形状とした場合の、引出部２６Ａ，２６Ｂの配置や磁性体１２の面積バランスについて、以下に説明する。図５には、具体例のコイル部品１０が示されている。製品（コイル部品１０）の実装面の長さをＬ，幅をＷとし、周回部２０の外周の短軸の長さをＸ１，長軸の長さをＹ１とし、周回部２２の内周の短軸の長さをＸ２，長軸の長さをＹ２とする。また、周回部２２の外側の面積をＳ１，周回部２２の面積をＳ２，周回部２２の内側の面積をＳ３とし、図６に示す条件で比較例１〜４及び具体例１〜８のコイル部品を製作した。
【００２９】
なお、図６中、「引出部」の「側面引出し」とは、引出部２６Ａ，２６Ｂを磁性体１２の基板に実装される面の短辺側に隣接する側面から引き出したことを意味し、「実施例１」「実施例２」とは、上述した実施例１及び実施例２の製造方法で空芯コイルを形成したことを示している。また、具体例１は、図４(A)の空芯コイル５０Ａの内周形状を楕円形としたものに相当し、具体例５は、図４(B)の空芯のコイル５０Ｂの内周形状を楕円形としたものに相当する。また、具体例３は、図４(C)の空芯コイル５０Ｃの内周形状を長円形としたものに相当し、具体例７は図４(D)の空芯コイル５０Ｄの内周形状を長円形としたものに相当し、具体例４，８は、図４(E)の空芯コイル５０Ｅの矩形（角丸長方形）としたものに相当する。なお、具体例４，８は、鉄芯４０の断面形状が矩形のものを用意し、４つの角にＲ０．１ｍｍの丸み付けを行ってから空芯コイル５０Ｅを作成している。このため、角の同様のＲの付いた角丸長方形のものとなっている。これにより、導線の被膜にダメージを与えることなく、空芯コイル５０Ｅを得ている。
【００３０】
製品サイズとしては、２．０×１．６×１．０ｍｍと、２．０×１．２５×１．０ｍｍの２種類とし、いずれも磁性体１２の高さは０．９ｍｍとした。また、磁性体１２の各角部には、Ｒ０．１ｍｍの丸み付けを行った。そして、複合磁性材料は、金属粒子としてＦｅＳｉＣｒＢを９５ｗ％と、樹脂としてエポキシ樹脂を５ｗｔ％の割合で混合したものを用いた。また、空芯コイル２０は、断面寸法が０．２５×０．０５ｍｍと０．２５×０．０３５ｍｍの被膜付き（いずれも融着層あり）の平角線を用い、周回部２２の周回数は１１ターンとした。また、端子電極１４，１６としては、スパッタリングによりＴｉ／Ａｇ層を形成したのち、導電性ペーストを重ね、２００℃の温度で硬化して、最後にＮｉ／Ｓｎをめっきして、合わせて厚みが０．０２ｍｍとなるようにして、それぞれ引出部２６Ａ，２６Ｂの端部２８Ａ，２８Ｂと接続するようにした。
【００３１】
以上のようにして形成した比較例１〜４と具体例１〜８の評価は、実装される側の面から見て行った。具体的には、引出部２６Ａ，２６Ｂは、端子電極１４，１６を取り除いた磁性体１２の表面において、走査電子顕微鏡（ＳＥＭ：Scanning Electron Microscope）により５０倍の倍率で、磁性体１２の２つの対角をそれぞれ１０μｍ相当の幅の直線で結び、この直線（対角線ＤＡ，ＤＢ）により４つのエリアに区切り、引出部２６Ａ，２６Ｂの存在場所を評価した。直線（対角線ＤＡ，ＤＢ）の引き方については、上記のように磁性体１２の各角に丸み付けしたような場合は、磁性体の長辺、短辺をそれぞれ延長し、交差するポイントを決め、このポイントを磁性体の角と見直し、対抗する位置の角を結ぶことで行った。また、上記と同じ方向で、前記磁性体１２の高さの半分まで研磨を行い、研磨した面のそれぞれのエリアを画像処理により面積換算して求めた。なお、ここでは、周回部内側の面積Ｓ３と、周回部外側の面積Ｓ１の比である「Ｓ３／Ｓ１」が０．３８以上とすることができる。これにより、周回部外側の面積Ｓ１を従来の１．３〜１．８倍とすることができるようになり、磁路断面積を大きく取れることでインダクタンスを取りやすくなり、結果としてインダクタンス２μＨ以下とした場合、電流特性を１．５〜２．２倍とする設計が可能となる。なお、上記の倍率については、評価する試料がひとつの画像に収まるように倍率を変えても良く、３５〜１００倍の範囲とすることで同様の評価が可能となる。
【００３２】
図６の結果から、以下のことが確認できる。
ａ．比較例１と比較例２の結果からは、側面引出しの場合には、周回部２２を矩形（角丸長方形）としても、面積比Ｓ３／Ｓ１の改善効果は見られない。
ｂ．比較例３と比較例４の結果からは、側面引出しの場合であっても、周回部２２を矩形とすることで前記面積比Ｓ３／Ｓ１は大きくなるが、面積バランスを取るには至らなかった。
ｃ．具体例１と具体例５では、楕円形にする効果が見られ、比較例１と比較例３に比べ、面積比Ｓ３／Ｓ１を０．２１，０．１３から０．３８，０．４３にすることができた。
ｄ．具体例２と具体例６は、それぞれ製造手順が異なる具体例１及び具体例５と比べて、引出部２６Ａ，２６Ｂを周回部２２に更に近付けたことの効果が見られ、前記面積比Ｓ３／Ｓ１を０．４１，０．４６にすることができた。
ｅ．具体例３，４，７，８は、周回部２２を長円形（オーバル形）、角丸長方形にした例であるが、いずれも効果があり、前記面積比を更に高くすることができた。
ｆ．長辺／短辺（Ｌ／Ｗ）より、長軸／短軸（Ｙ２／Ｘ２）の方が大きいと、磁性体１２のサイズを活かし、周回部２２の外側の磁性体の厚みを長辺側と短辺側とでほぼ同じ厚みにでき、磁束の集中する場所を減らすことができ、インダクタンス、飽和電流等の電気的性能の改善と磁束漏れを少なくすることにもつながる。
【００３３】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法，材質は一例であり、必要に応じて適宜変更してよい。
(2)前記実施例では、コイル部品１０を実装する面側に端子電極１４，１６を設けることとしたが、これも一例であり、必要に応じて適宜変更可能である。
(3)前記具体例で示した寸法も一例であり、同様の効果を奏する範囲内で適宜設計変更可能である。また、空芯コイルの周回部の巻き数も一例であり、必要に応じて適宜増減してよい。
(4)前記実施例では、空芯コイル２０の内周形状を長円形（オーバル型）や角丸長方形としたが、これも一例であり、同様の効果を奏する範囲内で適宜設計変更可能である。
(5)前記実施例では、導線として平角線を用いた場合を例に挙げて説明しているが、本発明で使用する導線は丸線であってもよい。なお、導線の断面として、０．０１ｍｍ２以上の断面積を有すると、本発明のフォーミング形状を安定的に形成できるため都合がよい。
【産業上の利用可能性】
【００３４】
以上のように、本発明によれば、金属磁性粒子と樹脂から形成され、基板に実装される側において長辺と短辺を有する直方体の磁性体と、平角線の断面の一方の長辺側の面が接するように巻回され、巻回した平角線の上に重ねるように繰り返し平角線を巻回し形成され、前記磁性体に埋め込まれる周回部と、前記磁性体の一方の長辺側における前記周回部の外周面から引き出される引出線と、前記引出線の端部から形成され、前記基板に実装される側の磁性体の面を２本の対角線で４つのエリアに区切ったときに、前記４つのエリアのうちの短辺側の２つのエリアにそれぞれ含まれ、さらに前記２つのエリア内において前記磁性体の一方の長辺側に寄った位置より前記磁性体の外側に引出される一対の引出部を持つ空芯コイルと、を有しており、前記基板に実装される側の磁性体の面を透過して見て、前記一対の引出部は、前記周回部の外周面と接する位置にあることを特徴とする。このため、引出線および引出部が磁性体の一方の長辺側に配置され、導線を引き出すスペースを削減して小型化が可能となる。これにより、空芯コイルの外側の磁性体の占める割合を小さくでき、無駄な磁性体を少なくできる。この結果、電流特性を高くすることができる。加えて、周回部の外側の面積Ｓ１に対する周回部の内側の面積Ｓ３の比Ｓ３／Ｓ１を、０．３８以上とすることで、周回部外側の面積Ｓ１を従来の１．３〜１．８倍とすることができるようになり、磁路断面積を大きく取ることでインダクタンスを取りやすくなる。また、引出部の研磨加工が容易であり、引出位置の安定性を高くできる。このため、コイル部品の用途に適用できる。特に、引出部の位置が安定することで、端子電極との接続安定性も得られるため、小型かつ高性能のコイル部品の用途に好適である。
【符号の説明】
【００３５】
１０，１０Ａ〜１０Ｅ：コイル部品
１２：磁性体
１２Ａ，１２Ｂ：長辺
１２Ｃ，１２Ｄ：短辺
１４，１６：端子電極
２０，２０Ａ，２０Ｂ：空芯コイル
２２，２２Ａ，２２Ｂ：周回部
２３Ａ，２３Ｂ：交差部
２４Ａ，２４Ｂ：引出線
２６Ａ，２６Ｂ：引出部
２８Ａ，２８Ｂ：端部
２９：コイル軸
３０：平角線
３０Ａ，３０Ｂ：短辺
３０Ｃ，３０Ｄ：長辺
４０：鉄芯
５０Ａ〜５０Ｅ：空芯コイル
ＥＳ１，ＥＳ２，ＥＬ１，ＥＬ２：エリア
ＤＡ，ＤＢ：対角線
ＬＡ：長軸
ＬＢ：短軸
【図１】
2019080073.tif 000003
【図２】
2019080073.tif 000004
【図３】
2019080073.tif 000005
【図４】
2019080073.tif 000006
【図５】
2019080073.tif 000007
【図６】
2019080073.tif 000008